【事件の表示】
　特願２０１６−１４０４５７「ピアツーピアネットワーク上のデバイス間において協調的な相互作用を可能にするための方法および装置」拒絶査定不服審判事件〔平成２８年１２月２８日出願公開、特開２０１６−２２５９９９〕について、次のとおり審決する。
【結　論】
　本件審判の請求は、成り立たない。
【理　由】
第１　手続の経緯
　本願は、２０１３年（平成２５年）１２月１８日（パリ条約による優先権主張外国庁受理　２０１３年１月１日　米国）を国際出願日として出願した特願２０１５―５５０４８６号の一部を、平成２８年７月１５日に新たな特許出願としたものであって、平成２８年８月１５日に手続補正書が提出され、平成２９年６月２３日付けの拒絶理由の通知に対し、同年９月１日に意見書が提出されたが、同年１０月１８日付けで拒絶査定がなされ、これに対して平成３０年２月２１日に拒絶査定不服審判の請求がなされたものである。
第２　本願発明
　本願の請求項１−５７に係る発明は、平成２８年８月１５日になされた手続補正により補正された特許請求の範囲の請求項１−５７に記載された事項により特定されるものと認められるところ、その請求項１、４、６、７及び９に係る発明（以下、それぞれ「本願発明１」、「本願発明４」、「本願発明６」、「本願発明７」及び「本願発明９」といい、これらをまとめて「本願発明」という。）は、以下のとおりである。
「　【請求項１】
　通信の方法であって、
　第１のユーザデバイスが、第２のユーザデバイスからブロードキャストされた第１のメッセージを受信することと、ここにおいて、前記第１のメッセージは、前記第２のユーザデバイスに関連付けられるイベントの発生を示す情報、または前記第２のユーザデバイスに関連付けられる前記イベントの前記発生に基づいて前記第１のユーザデバイスの１つまたは複数の機能のうちの少なくとも１つを修正するよう前記第１のユーザデバイスに促す情報のうちの少なくとも１つを含み、前記第１のユーザデバイスおよび前記第２のユーザデバイスは、ピアネットワークに関連付けられる、
　前記第１のメッセージを受信することに応答して、前記１つまたは複数の機能のうちの前記少なくとも１つを標準の動作状態から修正された動作状態に変更することと
　を備える、方法。
　　【請求項３】
　前記第２のユーザデバイスが前記ピアネットワークに関連付けられることを検出すること
　をさらに備える、請求項１に記載の方法。
　　【請求項４】
　前記第１のユーザデバイスの前記１つまたは複数の機能のうちのどれが前記第１のユーザデバイス上において現在アクティブなのかを示すメッセージを、前記第１のユーザデバイスが、少なくとも前記第２のユーザデバイスに送信すること
　をさらに備え、
　前記第１のユーザデバイスの前記１つまたは複数の機能のうちのどれが前記第１のユーザデバイス上において現在アクティブなのかを示す前記メッセージは、周期的基準で送信される、請求項３に記載の方法。
　　【請求項６】
　前記１つまたは複数の機能は、
　ユーザによって現在使用されているアプリケーション、
　前記アプリケーションに関連付けられる情報を現在提示しているユーザインタフェース、または、
　前記アプリケーションによって現在使用されている聴覚出力メカニズム
　のうちの少なくとも１つを備える、請求項１に記載の方法。
　　【請求項７】
　前記１つまたは複数の機能のうちの少なくとも１つを前記標準の動作状態から前記修正された動作状態に変更することは、
　前記第１のユーザデバイス上において現在アクティブなアプリケーションの動作を中止すること、
　前記ピアネットワーク上において帯域幅使用を修正すること、
　前記第１のユーザデバイス上においてユーザインタフェースをオフにすること、または、
　前記第１のユーザデバイス上においてコンテンツの提示を一時停止すること
　のうちの少なくとも１つを備える、請求項１に記載の方法。
　　【請求項９】
　前記イベントの前記発生は、前記第２のユーザデバイスによる呼の受信または開始を備える、請求項１に記載の方法。」
第３　原査定の拒絶の理由の概要
　原査定の拒絶の理由の概要は、以下のとおりである。
２．（サポート要件）本件出願は、特許請求の範囲の記載が下記の点で、特許法第３６条第６項第１号に規定する要件を満たしていない。
　　　　　　　　　　　　　　　記
●理由２（サポート要件）について
１．請求項　１−９，１６−２３，３０−３７，４４−５１
・備考
　請求項１記載の「ブロードキャストされた第１のメッセージ」は、発明の詳細な説明に記載されていない。
　請求項１６，３０，４４、及びこれらの請求項を引用する請求項２−９，１７−２３，３１−３７，４５−５１も、同様である。
　出願人は平成２８年８月１５日付け上申書において、上記記載は本願明細書の段落[0048]-[0049]に基づく旨の説明をしている。
　しかし本願明細書の段落[0049]において「ブロードキャスト」されるのは「複数の機能のうちどれが・・・現在アクティブなのかを示すメッセージ」である。請求項１記載の「イベントの発生」を示す「第１のメッセージ」ではない。
　請求項１には、
『前記第１のメッセージは、前記第２のユーザデバイスに関連付けられるイベントの発生を示す情報、または前記第２のユーザデバイスに関連付けられる前記イベントの前記発生に基づいて前記第１のユーザデバイスの１つまたは複数の機能のうちの少なくとも１つを修正するよう前記第１のユーザデバイスに促す情報のうちの少なくとも１つを含み』
と記載されている。
　したがって請求項１記載の「第１のメッセージ」とは、明細書の段落[0044]に記載されたメッセージ、あるいは明細書の段落[0050]-[0052]に記載されたメッセージである。
　また請求項１には「第２のユーザデバイスからブロードキャストされた第１のメッセージ」と記載されている。
　しかし前記「第１のメッセージ」が「第２のユーザデバイスからブロードキャスト」されることは、発明の詳細な説明に記載されていない。
　出願人は意見書において
『本願明細書の上記［００４９］には、第２のデバイスによりブロードキャストされる第１のメッセージが説明され、サポートされていることを主張します。
　また、「ブロードキャストされた第１のメッセージ」の記載は、本明細書の［００３４］にも基づきます。』
と主張する。
　明細書の段落[0034]及び明細書の段落[0049]に記載された「メッセージ」は『第１のデバイス２０２が映像をストリーミングするよう現在アプリケーションを実行中である場合、そのような現在の使用を示すメッセージ』（[0034]）『通信デバイスは、１つまたは複数の機能のうちのどれが第２のデバイス上において現在アクティブなのかを示すメッセージ』（[0049]）であり、これは請求項４に記載された『前記第１のユーザデバイスの前記１つまたは複数の機能のうちのどれが前記第１のユーザデバイス上において現在アクティブなのかを示すメッセージ』が対応するものである。
　請求項１記載の
『前記第２のユーザデバイスに関連付けられるイベントの発生を示す情報、または前記第２のユーザデバイスに関連付けられる前記イベントの前記発生に基づいて前記第１のユーザデバイスの１つまたは複数の機能のうちの少なくとも１つを修正するよう前記第１のユーザデバイスに促す情報のうちの少なくとも１つを含』む『第１のメッセージ』に対応するものではない。
第４　当審の判断
１．発明の詳細な説明について
（１）発明の詳細な説明の記載事項
　請求項１の「前記第２のユーザデバイスに関連付けられるイベントの発生を示す情報、または前記第２のユーザデバイスに関連付けられる前記イベントの前記発生に基づいて前記第１のユーザデバイスの１つまたは複数の機能のうちの少なくとも１つを修正するよう前記第１のユーザデバイスに促す情報のうちの少なくとも１つを含」む「第１のメッセージ」に関連して、発明の詳細な説明には、次の記載がある（なお、下線は当審で付した。）。
ア　「【０００３】
　[0003]一般的に、ユーザは、多数のデバイス（例えば、スマートフォン、タブレット、ハンドヘルドゲーミングデバイス、等）の近接内に存在しうる、および／または関連付けられうる。
現在、デバイス内におけるアプリケーションは、協調しうる。例えば、ユーザがデバイス上において映像を見ている際に呼が到来する場合、映像は、一時停止されえ、ユーザは、到来する呼を取ることができる。対照的に、そのような協調は、例えば、タブレットおよびスマートフォンがピアツーピアネットワーク内において接続される場合、接続されたデバイス間において現在は存在しない。そのため、ユーザが第２のデバイス上において映像を見ている間に第１のデバイス上において電話の呼を受信する場合、ユーザは、第１のデバイス上において呼を取る前に第２のデバイス上において映像コンテンツを明示的に／手動で一時停止または停止する必要がある
（例えば、ＷｉＦｉ（登録商標）ルータおよびＭｉＦｉデバイスを使用して）接続性が共有されるネットワーク上において異なるデバイスが使用されている場合、第２のデバイス上におけるストリーミング映像の再生は、第１のデバイス上におけるボイスオーバＩＰ（ＶｏＩＰ）呼の品質を低減しうる。反対に、ＶｏＩＰデータが映像データよりも高い優先度を与えられる場合、ストリーミング映像再生に関連付けられたユーザエクスペリエンスは、減少しうる
　【０００４】
　[0004]したがって、
ピアツーピアネットワーク上のデバイス間において協調的な相互作用を可能にすることを通して改善されたユーザエクスペリエンスを提供するシステムおよび方法が望まれる
イ　「　【００１９】
　[0025]
本明細書において開示される「機能」
機能の例は、デバイスに関連付けられるアプリケーション、デバイスに関連付けられるセンサ、デバイスに関連付けられるハードウェア、等、またはそれらの任意の組み合わせを含むが、それらに限定されるわけではない
　【００２０】
　[0026]
本明細書において開示される「イベント」は、デバイス上における機能の動作モードを変更しうる任意のアクティビティを含みうる
イベントの例は、接続されたデバイスに関連付けられる１つまたは複数の機能が接続されたデバイス上において今現在アクティブであるというインジケーション、呼の受信、通知の受信、要求の受信、帯域幅集中的アクティビティ（bandwidth intensive activity）の受信、呼の開始、通知の開始、帯域幅集中的アクティビティの開始、要求の開始、等、を含むが、それらに限定されるわけではない
　【００２１】
　[0027]１つまたは複数の態様によると、
協調的に相互作用するよう構成される多数のデバイスを含む通信環境が提供され
デバイスは、ピアデバイスに関連付けられるイベントが発生したことを示す通信環境内におけるピアデバイスからメッセージを受信し
メッセージの受信に基づいて、デバイスは、機能のうちの少なくとも１つを標準の動作状態から修正された動作状態に変更し
デバイスは、ピアデバイス上においてアクティブな様々な機能を示すメッセージを受信し
デバイスがイベントの発生を検出する場合、ピアデバイスに関連付けられる様々な機能のうちのいずれかが影響されうるかどうかを決定し
影響された機能に関連付けられるピアデバイスのためにメッセージを生成し、メッセージをピアデバイスに送信し
ウ　「【００３２】
　[0038]
図２は、通信ネットワーク２００（例えば、ピアネットワーク）内における多数のデバイス（２０２、２０４）間における相互作用についての実例的な呼フロー図
　【００３３】
　[0039]オプションの一態様において、動作２０６では、デバイス（２０２、２０４）は、ピアネットワークに接続されうる。一態様において、各デバイスは、接続処理中に一意の識別子を提供しうる。別の態様において、各デバイスはまた、接続処理中にユーザ識別子を含みうる。別の態様において、デバイス（２０２、２０４）間における通信は、直接ピアツーピア通信、ネットワークエンティティ（例えば、ＷｉＦｉ（登録商標）ルータ）を通した通信、セルラベースの通信、等、を使用して遂行されうる。
　【００３４】
　[0040]
動作２０８では、第１のデバイス２０２は、第１のデバイス上において使用されている１つまたは複数のアプリケーションを示すメッセージをブロードキャストしうる
第２のデバイス２０４は周期的に、別のデバイスが何をしているのかを示すメッセージを受信するようリッスンし
例えば、第１のデバイス２０２が映像をストリーミングするよう現在アプリケーションを実行中である場合、そのような現在の使用を示すメッセージをピアネットワークにブロードキャストしうる
　【００３５】
　[0041]
動作２１０では、イベントは、第２のデバイス２０４に関連付けられて発生しうる
イベント発生は、機能、呼、帯域幅集中的アクティビティ、等、の受信および／または開始、緊急メッセージを送信するよう試みること、等、を含みうる
イベント発生に応答して、第２のデバイス２０４は、ピアネットワークに関連付けられる任意の他のデバイス（例えば、２０２）が、その使用がイベント発生に応答して修正されうるアプリケーションを現在アクティブに使用していることを決定しうる
　【００３６】
　[0042]
動作２１２では、第２のデバイス２０４は、イベントの発生を示すメッセージを第１のデバイス２０２に送信しうる
メッセージは、イベントの発生を示す情報、またはイベントの発生に基づいて１つまたは複数の機能を修正するよう第１のデバイスに促す情報のうちの少なくとも１つを含みうる
　【００３７】
　[0043]
動作２１４では、第１のデバイス２０２は、１つまたは複数の機能のうちの少なくとも１つを標準の動作状態から修正された動作状態に変更しうる
エ　「【００４１】
　[0047]図３は、一態様による、
多数のデバイスが協調的に相互作用しうる実例的なシステム
第１のデバイスおよび第２のデバイスは、ピアネットワークに関連付けられうる
　【００４２】
　[0048]オプションの一態様において、ブロック３０２では、通信デバイスは、ピアネットワークに関連付けられる他のデバイスを検出しうる。一態様において、通信デバイスは、他のデバイスの存在を決定するようピア発見を遂行しうる。別の態様において、通信デバイスは、ピアネットワークに関連付けられる他のデバイスに関する情報を含むメッセージを受信しうる。
　【００４３】
　[0049]そのようなオプションの一態様において、
ブロック３０４では、通信デバイスは、１つまたは複数の機能のうちのどれが第１のデバイス上において現在アクティブなのかを示すメッセージを送信しうる
通信デバイスは、情報を受信することをピアネットワーク内における任意の他のデバイスに許可するようメッセージをブロードキャストしうる
　【００４４】
　[0050]
ブロック３０６では、通信デバイスは、第２のデバイスからメッセージを受信し
第２のデバイスからのメッセージは、第２のデバイスに関連付けられるイベントの発生を示す情報、またはイベントの発生に基づいて１つまたは複数の機能を修正するよう第１のデバイスに促す情報のうちの少なくとも１つを含みうる
イベントの発生は、第２のデバイスによる、機能、呼、通知、要求、帯域幅集中的アクティビティ、等、またはそれらの任意の組み合わせの受信および／または開始を含みうる
　【００４５】
　[0051]
ブロック３０８では、通信デバイス２０２は、少なくとも１つの機能を標準の動作状態から修正された動作状態に変更しうる
オ　「　【００４８】
　[0054]図４は、一態様による、
多数のデバイスが協調的に相互作用しうる実例的なシステム
第１のデバイスおよび第２のデバイスは、ピアネットワークに関連付けられうる
　【００４９】
　[0055]
ブロック４０２では、通信デバイスは、１つまたは複数の機能のうちのどれが第２のデバイス上において現在アクティブなのかを示すメッセージを受信しうる
通信デバイスは、第２のデバイスによってブロードキャストされるメッセージからメッセージを受信しうる
　【００５０】
　[0056]
ブロック４０４では、通信デバイスは、第１のデバイスに関連付けられるイベントの発生を検出しうる。
イベントの発生は、機能、呼、通知、要求、帯域幅集中的アクティビティ、等、またはそれらの任意の組み合わせの受信および／または開始を含みうる
　【００５１】
　[0057]
ブロック４０６では、通信デバイスは、第２のデバイス上における１つまたは複数の機能のうちの少なくとも１つの動作状態がイベントの発生に基づいて修正されうることを、第１のメッセージに基づいて、決定しうる
　【００５２】
　[0058]
ブロック４０８では、通信デバイスは、第２のデバイスのためにメッセージを生成しうる
メッセージは、第１のデバイスに関連付けられるイベントの発生を示す情報を含みうる
メッセージは、イベントの発生に基づいて１つまたは複数の機能のうちの少なくとも１つを標準の動作状態から修正された動作状態に変更するよう第２のデバイスに促す情報を含みうる
　【００５３】
　[0059]
ブロック４１０では、通信デバイスは、第２のメッセージを第２のデバイスに送信しうる
　また、図２は、次のとおりである。
（２）本願発明が解決しようとする課題について
　上記（１）アの記載によれば、本願発明が解決しようとする課題は、「ユーザが第２のデバイス上において映像を見ている間に第１のデバイス上において電話の呼を受信する場合、ユーザは、第１のデバイス上において呼を取る前に第２のデバイス上において映像コンテンツを明示的に／手動で一時停止または停止する必要がある」ことや、「（例えば、ＷｉＦｉ（登録商標）ルータおよびＭｉＦｉデバイスを使用して）接続性が共有されるネットワーク上において異なるデバイスが使用されている場合、第２のデバイス上におけるストリーミング映像の再生は、第１のデバイス上におけるボイスオーバＩＰ（ＶｏＩＰ）呼の品質を低減しうる。反対に、ＶｏＩＰデータが映像データよりも高い優先度を与えられる場合、ストリーミング映像再生に関連付けられたユーザエクスペリエンスは、減少しうる」という問題に対して、「ピアツーピアネットワーク上のデバイス間において協調的な相互作用を可能にすることを通して改善されたユーザエクスペリエンスを提供する」ことといえる（段落【０００３】、段落【０００４】）。
（３）記載事項（１）イについて
　上記（１）イの記載によれば、「多数のデバイスを含む通信環境」において、「協調的に相互作用するように構成」された
一方のデバイス（以下、「デバイスＡ」という
　また、協調的に相互作用するように構成された
他方のデバイス（以下、「デバイスＢ」という
、「ピアデバイス上においてアクティブな様々な機能を示すメッセージ」（以下、「メッセージＡ」という
　そうすると、
上記「デバイスＢ」が「イベントの発生」を検出して「影響された機能に関連付けられるピアデバイスのために」送信した「メッセージ」
「ピアデバイスに関連付けられるイベントが発生したことを示す通信環境内におけるピアデバイス」からの「メッセージ」
「デバイスＢ」が送信する当該「メッセージ」を、「メッセージＢ」という
　ここで、「デバイスＡ」上においてアクティブな「機能」であって、「デバイスＢ」からの「メッセージＢ」の受信に基づいて動作状態が修正される「機能」について、段落【００１９】には、「デバイスに関連付けられるアプリケーション、デバイスに関連付けられるセンサ、デバイスに関連付けられるハードウェア、等、またはそれらの任意の組み合わせ」が含まれることが記載されている。
　また、
「デバイスＢ」が前記「メッセージＢ」を送信する契機となる「イベント」について
接続されたデバイスに関連付けられる１つまたは複数の機能が接続されたデバイス上において今現在アクティブであるというインジケーション
呼の受信
呼の開始
（４）記載事項（１）ウ及び図２について
　上記（１）ウの記載によれば、図２は、「通信ネットワーク２００（例えば、ピアネットワーク）内における多数のデバイス（２０２、２０４）間における相互作用についての実例的な呼フロー図」である。
　そして、「第１のデバイス２０２」は、「第１のデバイス上において使用されている１つまたは複数のアプリケーションを示すメッセージ」を「ブロードキャスト」し（動作２０８）、「イベントの発生を示すメッセージ」が「第２のデバイス２０４」から「送信」され（動作２１２）、「１つまたは複数の機能のうちの少なくとも１つを標準の動作状態から修正された動作状態に変更」する（動作２１４）。
　また、「第２のデバイス２０４」は、「別のデバイスが何をしているのかを示すメッセージを受信するようリッスンし」（動作２０８）、「第２のデバイス２０４に関連付けられ」た「イベント」が発生すると、「イベント発生に応答して」、「ピアネットワークに関連付けられる任意の他のデバイス（例えば、２０２）が、その使用がイベント発生に応答して修正されうるアプリケーションを現在アクティブに使用していることを決定し」（動作２１０）、「イベントの発生を示すメッセージを第１のデバイス２０２に送信」する（動作２１２）。ここで、「イベント発生は、機能、呼、帯域幅集中的アクティビティ、等、の受信および／または開始、緊急メッセージを送信するよう試みること、等、を含み」、「イベントの発生を示すメッセージ」は、「イベントの発生を示す情報、またはイベントの発生に基づいて１つまたは複数の機能を修正するよう第１のデバイスに促す情報のうちの少なくとも１つを含」む。
　そうすると、上記（１）ウの記載においては、「第２のデバイス２０４」から「送信」された「イベントの発生を示すメッセージ」を受信し、「１つまたは複数の機能のうちの少なくとも１つを標準の動作状態から修正された動作状態に変更」する
「第１のデバイス２０２」は、「デバイスＡ」に対応
「第１のデバイス上において使用されている１つまたは複数のアプリケーションを示すメッセージ」が「メッセージＡ」であって
「デバイスＡ」が「メッセージＡ」を「ブロードキャスト」する
　また、「別のデバイスが何をしているのかを示すメッセージを受信」し、「イベントの発生を示す情報、またはイベントの発生に基づいて１つまたは複数の機能を修正するよう第１のデバイスに促す情報のうちの少なくとも１つを含」む「イベントの発生を示すメッセージを第１のデバイス２０２に送信」する
「第２のデバイス２０４」は、「デバイスＢ」に対応
当該「イベントの発生を示すメッセージ」が「メッセージＢ」であって
「デバイスＢ」は「メッセージＢ」を「第１のデバイス２０２」である「デバイスＡ」に送信する
「イベントの発生を示すメッセージ」（「メッセージＢ」）が示す「イベントの発生」は
機能
呼
（５）記載事項（１）エについて
　上記（１）エの記載によれば、「多数のデバイスが協調的に相互作用しうる実例的なシステム」において、「第１のデバイスおよび第２のデバイスは、ピアネットワークに関連付け」られる。
　そして、「第１のデバイス」に対応する通信デバイスは、「１つまたは複数の機能のうちのどれが第１のデバイス上において現在アクティブなのかを示すメッセージ」を「ブロードキャスト」し（ブロック３０４）、「第２のデバイス」から「第２のデバイスに関連付けられるイベントの発生を示す情報、またはイベントの発生に基づいて１つまたは複数の機能を修正するよう第１のデバイスに促す情報のうちの少なくとも１つを含」む「メッセージ」を「受信」し（ブロック３０６）、「少なくとも１つの機能を標準の動作状態から修正された動作状態に変更」する（ブロック３０８）。
　ここで、「第２のデバイスに関連付けられるイベント」の発生は、「第２のデバイスによる、機能、呼、通知、要求、帯域幅集中的アクティビティ、等、またはそれらの任意の組み合わせの受信および／または開始を含」む。
　そうすると、上記（１）エの記載においては、「第２のデバイスに関連付けられるイベントの発生を示す情報、またはイベントの発生に基づいて１つまたは複数の機能を修正するよう第１のデバイスに促す情報のうちの少なくとも１つを含」む「メッセージ」を「受信」し（ブロック３０６）、「少なくとも１つの機能を標準の動作状態から修正された動作状態に変更」する
「第１のデバイス」は、「デバイスＡ」に対応
「１つまたは複数の機能のうちのどれが第１のデバイス上において現在アクティブなのかを示すメッセージ」が「メッセージＡ」であって
「デバイスＡ」が「メッセージＡ」を「ブロードキャスト」する
　また、
「第２のデバイスに関連付けられるイベントの発生を示す情報、またはイベントの発生に基づいて１つまたは複数の機能を修正するよう第１のデバイスに促す情報のうちの少なくとも１つを含」む「メッセージ」が「メッセージＢ」であって
「第２のデバイス」は「デバイスＢ」に対応
「デバイスＢ」は「メッセージＢ」を「第１のデバイス」である「デバイスＡ」に送信する
当該「メッセージ」に含まれる情報が示す「第２のデバイスに関連付けられるイベント」の発生
第２のデバイスによる、機能
呼
（６）記載事項（１）オについて
　上記（１）オの記載によれば、「多数のデバイスが協調的に相互作用しうる実例的なシステム」において、「第１のデバイスおよび第２のデバイスは、ピアネットワークに関連付け」られているから、「第１のデバイス」は、「第２のデバイスによってブロードキャスト」された「１つまたは複数の機能のうちのどれが第２のデバイス上において現在アクティブなのかを示すメッセージ」を受信するといえる（ブロック４０２）。そして、「第１のデバイス」は、「第１のデバイスに関連付けられるイベントの発生を検出」し（ブロック４０４）、「第２のデバイス上における１つまたは複数の機能のうちの少なくとも１つの動作状態がイベントの発生に基づいて修正されうること」を「決定」し（ブロック４０６）、「第１のデバイスに関連付けられるイベントの発生を示す情報」又は「イベントの発生に基づいて１つまたは複数の機能のうちの少なくとも１つを標準の動作状態から修正された動作状態に変更するよう第２のデバイスに促す情報」を含む「第２デバイスのため」の「メッセージ」を生成し（ブロック４０８）、当該「第２のメッセージを第２のデバイスに送信」（ブロック４１０）する。ここで、「第２のメッセージ」に含まれる情報が示す「イベントの発生」は、「機能、呼、通知、要求、帯域幅集中的アクティビティ、等、またはそれらの任意の組み合わせの受信および／または開始」を含む。
　また、「ピアネットワークに関連付け」られた「第２のデバイス」は、「１つまたは複数の機能のうちのどれが第２のデバイス上において現在アクティブなのかを示すメッセージ」を「ブロードキャスト」する（ブロック４０２）。そして、「第１のデバイス」から送信された「イベントの発生に基づいて１つまたは複数の機能のうちの少なくとも１つを標準の動作状態から修正された動作状態に変更するよう第２のデバイスに促す情報」を含む「第２のメッセージ」を受信するといえる。
　そうすると、上記（１）オの記載においては、前記「第２のメッセージ」を受信して、「１つまたは複数の機能のうちの少なくとも１つを標準の動作状態から修正された動作状態に変更するよう」促される
「第２のデバイス」が、「デバイスＡ」に対応
「１つまたは複数の機能のうちのどれが第２のデバイス上において現在アクティブなのかを示すメッセージ」が「メッセージＡ」に対応
「デバイスＡ」が「メッセージＡ」を「ブロードキャスト」する
　また、「１つまたは複数の機能のうちのどれが第２のデバイス上において現在アクティブなのかを示すメッセージ」を受信し、「第１のデバイスに関連付けられるイベントの発生を検出」し、「第２のデバイス上における１つまたは複数の機能のうちの少なくとも１つの動作状態がイベントの発生に基づいて修正されうること」を「決定」し、「第１のデバイスに関連付けられるイベントの発生を示す情報」又は「イベントの発生に基づいて１つまたは複数の機能のうちの少なくとも１つを標準の動作状態から修正された動作状態に変更するよう第２のデバイスに促す情報」を含む「第２のメッセージ」を生成する
「第１のデバイス」が、「デバイスＢ」に対応
「第２のメッセージ」が「メッセージＢ」に対応
「デバイスＢ」が「メッセージＢ」を「第２のデバイス」である「デバイスＡ」に送信する
当該「第２のメッセージ」に含まれる情報が示す「イベントの発生」
機能
呼
２．判断
（１）本願発明１について
　上記１（２）〜（６）によれば、発明の詳細な説明に発明として記載されたものは、以下の事項を含むといえる。
（ア）
「デバイスＡ」が
「メッセージＡ」をブロードキャストする
「デバイスＢ」に関連付けられるイベントの発生
「メッセージＢ」を受信
（イ）
「デバイスＢ」が
「デバイスＢ」に関連付けられるイベントの発生
「メッセージＢ」を当該「デバイスＡ」に送信する
（ウ）上記（ア）及び（イ）の
「デバイスＢ」に関連付けられるイベントの発生
接続されたデバイスに関連付けられる１つまたは複数の機能が接続されたデバイス上において今現在アクティブであるというインジケーション
呼の受信
呼の開始
　そして、本願発明１の「第１のユーザデバイス」は、「前記第２のユーザデバイスに関連付けられるイベントの発生を示す情報、または前記第２のユーザデバイスに関連付けられる前記イベントの前記発生に基づいて前記第１のユーザデバイスの１つまたは複数の機能のうちの少なくとも１つを修正するよう前記第１のユーザデバイスに促す情報のうちの少なくとも１つを含」む「第１のメッセージ」を「第２のユーザデバイスから」「受信」し、「前記第１のメッセージを受信することに応答して、前記１つまたは複数の機能のうちの前記少なくとも１つを標準の動作状態から修正された動作状態に変更する」ものであるから、本願発明１の「第１のユーザデバイス」、「第２のユーザデバイス」及び「第１のメッセージ」は、それぞれ発明の詳細な説明に発明として記載されたものの「デバイスＡ」、「デバイスＢ」及び「メッセージＢ」に対応するものと解するのが相当である。
　対応関係についてさらに検討を進めると、請求項１を間接的に引用する請求項４には、次の特定事項がある。
「　前記第１のユーザデバイスの前記１つまたは複数の機能のうちのどれが前記第１のユーザデバイス上において現在アクティブなのかを示すメッセージを、前記第１のユーザデバイスが、少なくとも前記第２のユーザデバイスに送信すること
　をさらに備え、
　前記第１のユーザデバイスの前記１つまたは複数の機能のうちのどれが前記第１のユーザデバイス上において現在アクティブなのかを示す前記メッセージは、周期的基準で送信される、」
　上記請求項４の「前記第１のユーザデバイスの前記１つまたは複数の機能のうちのどれが前記第１のユーザデバイス上において現在アクティブなのかを示すメッセージ」は、発明の詳細な説明に発明として記載されたものの「デバイスＡ」が「ブロードキャスト」する「メッセージＡ」（「１つまたは複数の機能のうちのどれがデバイスＡ上において現在アクティブなのかを示すメッセージ）に対応するといえる。
　また、請求項１を引用する請求項６には、請求項１において「標準の動作状態から修正された動作状態に変更する」対象となる「第１のユーザデバイスの１つまたは複数の機能」に関連して、次の特定事項がある。
「　前記１つまたは複数の機能は、
　ユーザによって現在使用されているアプリケーション、
　前記アプリケーションに関連付けられる情報を現在提示しているユーザインタフェース、または、
　前記アプリケーションによって現在使用されている聴覚出力メカニズム
　のうちの少なくとも１つを備える」
　同じく、請求項１を引用する請求項７には、次の特定事項がある。
「　前記１つまたは複数の機能のうちの少なくとも１つを前記標準の動作状態から前記修正された動作状態に変更することは、
　前記第１のユーザデバイス上において現在アクティブなアプリケーションの動作を中止すること、
　前記ピアネットワーク上において帯域幅使用を修正すること、
　前記第１のユーザデバイス上においてユーザインタフェースをオフにすること、または、
　前記第１のユーザデバイス上においてコンテンツの提示を一時停止すること
　のうちの少なくとも１つを備える」
　さらに、請求項１を引用する請求項９には、請求項１の「第２のユーザデバイスに関連付けられるイベントの発生」に関して、次の特定事項がある。
「前記イベントの前記発生は、前記第２のユーザデバイスによる呼の受信または開始を備える」
　よって、請求項１を直接又は間接的に引用する請求項４、６、７及び９の特定事項を参照すると、本願発明１の「第１のユーザデバイス」、「第２のユーザデバイス」及び「第１のメッセージ」が、それぞれ発明の詳細な説明に発明として記載されたものの「デバイスＡ」、「デバイスＢ」及び「メッセージＢ」に対応することが明らかである。
　そうすると、発明の詳細な説明には、
ａ．請求項１の「第１のユーザデバイス」が、１つまたは複数の機能のうちのどれが第１のユーザデバイス上において現在アクティブなのかを示すメッセージをブロードキャストすること（「デバイスＡ」が「メッセージＡ」をブロードキャストすること）、
ｂ．請求項１の「第１のユーザデバイス」が、「第２のユーザデバイスから」「第１のメッセージ」を受信すること（「デバイスＡ」が、「デバイスＢ」から「メッセージＢ」を受信すること）、
ｃ．請求項１の「第１のユーザデバイス」の「動作状態」を「変更」する契機となる「第１のメッセージ」（「メッセージＢ」）に係る「第２のユーザデバイスに関連付けられるイベントの発生」が、「接続されたデバイスに関連付けられる１つまたは複数の機能が接続されたデバイス上において今現在アクティブであるというインジケーション」を含むこと、
については記載されているといえる。
　しかし、当該「第１のメッセージ」（「メッセージＢ」）は、「第２のユーザデバイス」（「デバイスＢ」）が、「第１のユーザデバイス」の「動作状態」の「変更」を促すために、「第１のユーザデバイス」に宛てて送信したメッセージであって、任意の他のデバイスに「ブロードキャストされた」メッセージではないから、請求項１の「第１のメッセージ」が、「第２のユーザデバイスからブロードキャストされた」ものであることについては、発明の詳細な説明には、記載も示唆もなく、自明ともいえない。
　したがって、本願発明１は、発明の詳細な説明に記載したものとはいえない。
（２）本願発明４、本願発明６、本願発明７及び本願発明９について
　上記（１）のとおり、請求項１を直接又は間接的に引用する本願発明４、６、７及び９の「第１のユーザデバイス」、「第２のユーザデバイス」及び「第１のメッセージ」は、それぞれ発明の詳細な説明に発明として記載されたものの「デバイスＡ」、「デバイスＢ」及び「メッセージＢ」に対応することが明らかであるから、上記（１）と同様に、本願発明４、本願発明６、本願発明７及び本願発明９は、発明の詳細な説明に記載したものとはいえない。
（３）小括
　以上より、少なくとも、本願発明１、本願発明４、本願発明６、本願発明７及び本願発明９は、発明の詳細な説明に記載したものとはいえないから、本件出願は、特許法第３６条第６項第１号に規定する要件を満たしていない。
３．請求人の主張について
　審判請求書における請求人の主張は、概ね以下のとおりである。
「（ｉ）本願明細書の段落［００２０］には、以下の転記にあるように、イベントの例として、「接続されたデバイスに関連付けられる１つまたは複数の機能が接続されたデバイス上において今現在アクティブであるというインジケーション」が説明されています。
　（中略）
（ｉｉ）上記段落［００２０］の記載に基づいた補足説明を付記して、本願明細書の段落［００４９］を以下に転記します。
　［００４９］
「　[0055]ブロック４０２（補足説明：４０２には「第１のデバイスが第２のデバイス上において現在アクティブな機能を示すメッセージを受信する」が記載されています。）では、（補足説明：第１の）通信デバイスは、１つまたは複数の機能のうちのどれが第２のデバイス上において現在アクティブなのか（補足説明：を表示するインジケーションのイベント）を示すメッセージを（補足説明：第２の通信デバイスから）受信しうる。一態様において、通信デバイスは、メッセージを周期的基準で受信しうる。別の態様において、（補足説明：第１の）通信デバイスは、第２のデバイスによってブロードキャストされるメッセージから（補足説明：第２のデバイス上において現在アクティブなのかのインジケーションのイベントを示す）メッセージを受信しうる。一態様において、メッセージは、周期的基準で受信されうる。」
（ｉｉｉ）さらに、本願明細書の段落［００２１］には以下のように記載されています。
　（中略）
（ｉｉｉｉ）以上から、本願請求項１の「第１のメッセージが第２のユーザデバイスからブロードキャストされること」は、本願明細書の段落［００４９］に説明されていることは明らかであり、特許法第３６条第６項第１号を満たしていることを主張いたします。」
　ここで、発明の詳細な説明に発明として記載されたものは、上記２（１）の（ア）〜（ウ）の事項を含むものであるところ、請求人の上記主張は、次のいずれかの対応関係を前提としたものとみることができる。
（ａ）請求項１の「第１のユーザデバイス」及び「第２のユーザデバイス」が、それぞれ発明の詳細な説明に発明として記載されたものの「デバイスＢ」及び「デバイスＡ」に対応し、請求項１の「第２のユーザデバイスからブロードキャストされた第１のメッセージ」が、「デバイスＡ」からブロードキャストされた「メッセージＡ」（「１つまたは複数の機能のうちのどれがデバイスＡ上において現在アクティブなのかを示すメッセージ」）に対応し、請求項１の当該「第１のメッセージ」に係る「第２のユーザデバイスに関連付けられるイベントの発生」が、「接続されたデバイスに関連付けられる１つまたは複数の機能が接続されたデバイス上において今現在アクティブであるというインジケーション」であると対応付ける場合。
（ｂ）請求項１の「第１のユーザデバイス」及び「第２のユーザデバイス」が、それぞれ発明の詳細な説明に発明として記載されたものの「デバイスＡ」及び「デバイスＢ」に対応し、請求項１の「第２のユーザデバイスからブロードキャストされた第１のメッセージ」が、「デバイスＢ」からブロードキャストされた「メッセージＢ」（「ピアデバイスに関連付けられるイベントが発生したことを示す通信環境内におけるピアデバイス」からの「メッセージ」）に対応し、請求項１の当該「第１のメッセージ」に係る「第２のユーザデバイスに関連付けられるイベントの発生」が、「接続されたデバイスに関連付けられる１つまたは複数の機能が接続されたデバイス上において今現在アクティブであるというインジケーション」であると対応付ける場合。
　そこで、まず上記（ａ）のように対応付けるとすると、請求項１の「前記第１のメッセージを受信することに応答して、前記１つまたは複数の機能のうちの前記少なくとも１つを標準の動作状態から修正された動作状態に変更すること」は、発明の詳細な説明に発明として記載されたものにおいて、「デバイスＢ」が、「デバイスＡ」からブロードキャストされた『１つまたは複数の機能のうちのどれがデバイスＡ上において現在アクティブなのかを示す「メッセージＡ」』（上記２（１）（ア）参照）を受信することに応答して、『「デバイスＢ」に関連付けられるイベントの発生を検出することと、イベントの発生を検出する場合に、「デバイスＡ」に関連付けられる様々な機能のうちのいずれかが影響されうるかどうかを決定することと、「メッセージＢ」を当該「デバイスＡ」に送信すること』（上記２（１）（イ）参照）に対応することになる。
　しかし、発明の詳細な説明をみても、「前記１つまたは複数の機能のうちの前記少なくとも１つを標準の動作状態から修正された動作状態に変更すること」が、『「デバイスＢ」に関連付けられるイベントの発生を検出することと、イベントの発生を検出する場合に、「デバイスＡ」に関連付けられる様々な機能のうちのいずれかが影響されうるかどうかを決定することと、「メッセージＢ」を当該「デバイスＡ」に送信すること』（上記２（１）（イ）参照）であることについては、記載も示唆も無く、自明ともいえないから、上記（ａ）の対応付けには無理がある。
　上記（ａ）の対応付けについてさらに検討を進めると、請求項１を引用する請求項６及び７の特定事項は、上記２（１）のとおりである。
　そして、上記（ａ）のように、請求項１の「前記第１のメッセージを受信することに応答して、前記１つまたは複数の機能のうちの前記少なくとも１つを標準の動作状態から修正された動作状態に変更すること」を、発明の詳細な説明に発明として記載されたものの「デバイスＢ」が、「デバイスＡ」からブロードキャストされた『１つまたは複数の機能のうちのどれがデバイスＡ上において現在アクティブなのかを示す「メッセージＡ」』（上記２（１）（ア）参照）を受信することに応答して、『「デバイスＢ」に関連付けられるイベントの発生を検出することと、イベントの発生を検出する場合に、「デバイスＡ」に関連付けられる様々な機能のうちのいずれかが影響されうるかどうかを決定することと、「メッセージＢ」を当該「デバイスＡ」に送信すること』（上記２（１）（イ）参照）に対応付けることは、請求項１において「標準の動作状態から修正された動作状態に変更する」対象となる「第１のユーザデバイスの１つまたは複数の機能」に関する請求項６及び７の特定事項と矛盾するから、請求項１を引用する請求項６及び７の記載を参照しても、上記（ａ）のように対応付けることはできない。
　また、請求項１を引用する請求項９の特定事項は、上記２（１）のとおりである。
　そして、上記（ａ）のように、請求項１の「第１のメッセージ」に係る「第２のユーザデバイスに関連付けられるイベントの発生」を、「接続されたデバイスに関連付けられる１つまたは複数の機能が接続されたデバイス上において今現在アクティブであるというインジケーション」に対応付けることは、請求項１を引用する請求項９の特定事項と矛盾するから、請求項１を引用する請求項９の記載を参照しても、上記（ａ）のように対応付けることはできない。
　次に、上記（ｂ）のように対応付けた場合については、上記２で判断したとおりである。
　したがって、請求人の上記主張は採用できない。
４　小括
　上記２及び３のとおり、本願発明は、発明の詳細な説明に記載したものとはいえないから、本願は、特許請求の範囲の記載が特許法第３６条第６項第１号に規定する要件を満たしていない。
第５　むすび
　以上より、本願は、特許請求の範囲の記載が特許法第３６条第６項第１号に規定する要件を満たしていないから、特許を受けることができない。
　よって、結論のとおり審決する。